(57)【特許請求の範囲】
【請求項１】
伝送用データを機械的振動に変調する機械的振動変調手段と、
該機械的振動変調手段の出力である機械的振動を伝送する伝送媒体と、
該伝送媒体を介して伝送された機械的振動から前記伝送用データを復調する伝送用データ復調手段と、
前記伝送媒体が接触したことを検出する接触検出手段とを備え、
前記伝送媒体は、人間または動物の何れか一つを含み、
前記機械的振動変調手段は、前記接触検出手段で前記伝送媒体が接触したことが検出されると、前記伝送媒体を介して前記伝送用データ復調手段へ前記機械的振動を出力する
ことを特徴とする機械的振動を用いたデータ伝送方式。
【請求項２】
前記機械的振動変調手段を有する携帯通信手段と、
前記伝送用データ復調手段を有する固定通信手段と
を備えたことを特徴とする請求項１記載のデータ伝送方式。
【請求項３】
前記機械的振動変調手段および伝送用データ復調手段を有する携帯通信手段と、
前記機械的振動変調手段および伝送用データ復調手段を有する固定通信手段と
を備えたことを特徴とする請求項１記載のデータ伝送方式。
【請求項４】
前記伝送用データは、身元識別用データであることを特徴とする請求項１乃至請求項３の何れか一つに記載のデータ伝送方式。
【請求項５】
前記身元識別用データは、名刺用のデータであることを特徴とする請求項４記載のデータ伝送方式。
【請求項６】
前記身元識別用データは、暗証番号であることを特徴とする請求項４記載のデータ伝送方式。
【請求項７】
前記身元識別用データを前記携帯通信手段に備えさせ、該携帯通信手段を人間または動物の体内に埋設することを特徴とする請求項４記載のデータ伝送方式。
【発明の詳細な説明】
【０００１】
【発明の属する技術分野】
本発明は、機械的振動を用いたデータ伝送方式に関し、特に人体・物体等を伝送媒体として機械的振動により身元識別用データ等を伝送する機械的振動を用いたデータ伝送方式に関する。
【０００２】
【従来の技術】
従来のデータ伝送を方式面から見ると、有線方式と無線方式とがある。有線方式はケーブルを接続した相手に大量のデータを確実に送ることができ、無線方式はケーブルの設備無しに多数の人（例えば、野球場の観客）に同時に大量のデータを送ることができる。
【０００３】
また、データ伝送を設備・データ量の面から見ると、ＡさんとＢさんが街中や喫茶店で出会い、小量のデータ伝送を行う場合にも、例えば携帯電話システムを介してデータ伝送を行うように、無線基地局や電話交換設備等を必要とする。
【０００４】
更に、例えば現金自動支払預入機（ＡＴＭ）では本人認証システムとして暗証番号方式等を採用し、また部外者立入り禁止の施設等では指紋識別方式，筆跡識別方式などを採用している。かかる本人認証システムにおいても、暗証番号データの伝送等にデータ伝送を使用している。
【０００５】
【発明が解決しようとする課題】
しかしながら、有線方式には多大な経費を要するケーブルの敷設が必要であり、無線方式には盗聴の虞がある。しかも、有線方式も無線方式も高額な設備投資を必要とするので、人間等が１対１の直接に、少量・小規模のデータ伝送を安価に実施するには不向きである。
【０００６】
また、前述の暗証番号方式，指紋識別方式，筆跡識別方式などは、当該方式の使用方法を理解し・使用可能な人間のみを対象としている。従って、身体が不自由でこれらの方式を理解・使用できない人達（例えば徘徊老人）や猫等のペットや物体には前記暗証番号方式などを適用することができない。
【０００７】
そこで本発明の課題は、有線方式・無線方式以外の方式でデータ伝送が可能であり、また人間等の知能活動を必要とせずに本人・本物等を認証可能な、機械的振動を用いたデータ伝送方式を提供することである。
【０００８】
【課題を解決するための手段】
前記課題を解決するために本発明は、伝送用データを機械的振動に変調する機械的振動変調手段と、
該機械的振動変調手段の出力である機械的振動を伝送する伝送媒体と、
該伝送媒体を介して伝送された機械的振動から前記伝送用データを復調する伝送用データ復調手段と、
前記伝送媒体が接触したことを検出する接触検出手段とを備え、
前記伝送媒体は、人間または動物の何れか一つを含み、
前記機械的振動変調手段は、前記接触検出手段で前記伝送媒体が接触したことが検出されると、前記伝送媒体を介して前記伝送用データ復調手段へ前記機械的振動を出力する
ことを特徴とする。
【０００９】
また、前記機械的振動変調手段および伝送用データ復調手段を有する携帯通信手段と、
前記機械的振動変調手段および伝送用データ復調手段を有する固定通信手段と
を備えたことを特徴とする。
また、前記伝送用データは、身元識別用データであることを特徴とする。
【００１０】
このようにすれば、例えば、携帯通信手段は機械的振動変調手段により身元識別用データを機械的振動に変調して出力する。この機械的振動は固定通信手段に備えられた伝送用データ復調手段により復調され、固定通信手段側で身元識別用データを取得できる。従って、例えば二人の初対面のビジネスマンが握手の際に、名刺用の氏名，肩書等を記述したデータ（身元識別用データ）を直接相手にデータ伝送することができる。
【００１１】
【発明の実施の形態】
以下、本発明を図示の実施例に基づいて説明する。
【００１２】
［Ｉ］原理説明
先ず、図１に示す本発明の原理説明図に基づいて、本発明の原理を説明する。
図１に示すように、一次局側には例えば固定通信機Ａを配置し、二次局側には例えば携帯通信機Ｂを配置する。人間Ｐはデータ伝送を行う伝送媒体である。なお、伝送媒体として人間（人体）の場合で説明するが、例えば金属，プラスチック等の物体や犬・猫等の動物でもよい。
【００１３】
一次局側の固定通信機Ａには機械的振動発生部１０１と機械的振動受信部１０２を備え、二次局側の携帯通信機Ｂには機械的振動受信部２０１と機械的振動発生部２０２を備える。
【００１４】
次に動作を説明する。携帯通信機Ｂを所持する人間Ｐはスタンバイ状態にある一次局の固定通信機Ａの接触端子（図示せず）に指等を接触すると、接触検出部（図示せず）が接触のあったことを検出する。前記接触検出部における指等の接触検出をトリガとして、機械的振動発生部１０１が機械的振動（照会振動）を人間Ｐに送る。この照会振動は、人間Ｐの身元を照会するためのデータを含む。
【００１５】
照会振動は人間Ｐを伝送媒体として、携帯通信機Ｂの振動検出部（図示せず）を介して機械的振動受信部２０１に入力する。該受信部２０１は身元の照会振動であることを認識し、身元確認用のデータ（暗証番号等）を含んだ機械的振動（暗証振動）を、人間Ｐを介して固定通信機Ａへデータ伝送により送信する。暗証振動を受信した固定通信機Ａは、次の定められた処理（例えば、ドアの開放）を実行する。このようにしてデータ伝送を行う。
【００１６】
［ＩＩ］実施例
［ＩＩ−１］第１実施例
図２に示す本実施例は、ペットとして猫を飼う場合における一個建て住宅等の「猫専用出入口の開閉」に、本発明を適用した場合である。周知のように屋内で飼っている猫は、屋内と屋外の出入りが激しい場合が多い。外出する場合であれば、飼い主がドアを開けて屋外に出してやり、帰宅時にはドアの外で猫が鳴くのでドアを開けてやる。しかし、夜中などでは飼い主が、猫のドア開閉要求に一々対処するのは容易ではない。本実施例はこのような場合に好適である。
【００１７】
図２に示すように、猫専用出入口開閉システムＣＳは、飼い主宅に設置した一次局側である固定通信機Ａと、機械的振動の伝送媒体としての猫Ｃと、猫Ｃの首輪３１に取付けた二次局側である携帯通信機Ｂとを備えてなる。
【００１８】
固定通信機Ａは、例えば開放面積１０×１０ｃｍの引き戸等からなる猫専用出入口１１と、この猫専用出入口１１に取付けられていて、猫Ｃが前足や鼻を接触する端子１１ａと、端子１１ａに猫Ｃが接触したことを検出する接触検出部１２と、次に説明する照会振動発生制御部２１の制御により身元照会用データを含む照会振動を発生するＰｂ（Ｚｒ＋Ｔｉ）Ｏ３系圧電セラミックス等からなる照会振動発生部１３と、次に説明する携帯通信機Ｂから発せられた暗証振動を検出するＰｂ（Ｚｒ＋Ｔｉ）Ｏ３系圧電セラミックス等からなる暗証振動検出部１４と、猫専用出入口１１の開閉を行う出入口開閉機構１５と、猫Ｃが外出する際に前足や鼻等を接触する外出時接触端子１６とを備える。
【００１９】
更に、固定通信機Ａは固定通信機制御部２０を備え、該制御部２０は前記接触検出部１２が猫Ｃの前足等の接触を検出した場合に、身元照会要求データを含む照会振動を発生させる照会振動発生制御部２１と、猫Ｃから次に説明する暗証振動を受信した場合に所定の受信処理を行う暗証振動受信処理部２２と、猫専用出入口１１の自由な開閉を許可する猫の身元情報（例えば、複数匹の飼育）を予め登録した身元情報登録部２３と、暗証振動を受信した場合に身元を認証する身元情報認証部２４と、身元が登録済みである場合には猫専用出入口１１を開き、登録済みでない場合には閉じたままにする信号を発生する出入口開閉信号発生部２５とを備える。
【００２０】
前記携帯通信機Ｂは前述の如く首輪３１に固定してあり、携帯通信機Ｂは固定通信機Ａからの前記照会振動を検出する振動検出部３２と、次に説明する身元情報に対応したデータを含む暗証振動を発生するＰｂ（Ｚｒ＋Ｔｉ）Ｏ３系圧電セラミックス等からなる暗証振動発生部３３と、携帯通信機制御部４０とを備える。
【００２１】
携帯通信機制御部４０は、照会振動を受信した場合に、暗証振動を発生させるべく制御を行う暗証振動発生制御部４１と、その猫が固定通信機Ａを設置した飼い主宅の飼い猫である身元情報を記憶した身元情報記憶部４２とを備える。
【００２２】
次に本実施例の猫専用出入口開閉システムの動作を、図３に示す動作フローチャートを参照しつつ説明する。
外出していた飼い猫Ｃが帰宅して猫専用出入口１１の端子１１ａに前足を接触すると（ステップＳ１）、接触検出部１２が前足の接触を検出し（ステップＳ２）、前足検出を照会振動発生制御部２１に伝える。照会振動発生制御部２１は猫Ｃの身元照会用の制御信号を発生し、照会振動発生部１３に送ると該発生部１３は照会振動を発生し端子１１ａに送出する（ステップＳ３）。
【００２３】
猫Ｃは前足を端子１１ａに接触しているので、照会振動は伝送媒体である猫Ｃを介して首輪３１に伝送され（ステップＳ４）、該照会振動を振動検出部３２が検出する（ステップＳ５）。検出した照会振動により暗証振動発生制御部４１が身元情報記憶部４２に記憶したその猫Ｃの暗証番号（身元登録情報）を読み出し、暗証振動発生部３３から暗証振動として首輪３１→猫Ｃ→端子１１ａ→暗証振動検出部１４の経路で、暗証振動受信処理部２２に送信する（ステップＳ６）。
【００２４】
暗証振動受信処理部２２からの信号を受けたは身元情報認証部２４は、身元情報登録部２３に予め登録してある猫専用出入口１１の開閉を許可した猫のリストと受信した暗証振動が含む猫の身元情報を比較する（ステップＳ７）。暗証振動が含む身元情報が登録済みであれば、出入口開閉信号発生部２５から開放用の信号を出入口開閉機構１５に送出し（ステップＳ８）、猫専用出入口１１を開くと（ステップＳ９）、猫Ｃは飼い主宅に入る。猫専用出入口１１は開いた後、例えば５秒後に閉じるように設定しておく。この開放時間は猫Ｃの習性にもよるが、長い時間（例えば、３０秒間）の開放は、野良猫等の侵入の虞があるので、好ましくない。
【００２５】
また、ステップＳ８で身元情報が登録済みでない場合は、猫専用出入口１１は閉じたままである（ステップＳ１０）。従って、例えば身元情報を持たない余所の飼い猫や野良猫やネズミ・小型の犬等は、飼い主宅に入ることができない。
【００２６】
また、逆に猫Ｃが外出する場合には、猫Ｃの前足が屋内に設けた外出時接触端子１６に接触すると、前記猫専用出入口開閉システムＣＳの処理（ステップＳ１〜ステップＳ９）と同じ処理を実行するので、猫専用出入口１１が開放され、猫Ｃは屋外に出ることが可能となる。従って、飼い猫Ｃの屋内・屋外の出入りの際に、飼い主が扉等を開閉する煩わしさを無くすことができる。
【００２７】
なお、本実施例では携帯通信機Ｂを猫Ｃの首輪に取付けた場合を説明したが、例えば猫Ｃの外科的手術により体内に埋設してもよい。
【００２８】
また、本実施例では飼い猫を識別し、猫の意志で自由に猫専用出入口の開閉を可能にした場合を説明したが、次の具体例にも本発明を適用可能である。
【００２９】
第１具体例としては、例えば鉄製の缶（鉄缶）とアルミ製の缶（アルミ缶）の分別の場合に、鉄缶には鉄である旨の登録（身元情報・素材情報の登録）を予めしておき、アルミ缶にも同様の登録をしておく。そして、鉄缶とアルミ缶とが混在した状態でベルトコンベアにより搬送し、途中で本発明により身元情報を判別して、鉄缶とアルミ缶とを分別することができる。
【００３０】
第２具体例では、パソコン等の端末とホストコンピュータとの接続を可能にするログイン認証に本発明を適用可能であり（パソコンが一次局で、人間が二次局）、第３具体例では、携帯電話の通話不能状態を解除するロック解除にも本発明を適用可能である（携帯電話が一次局で、人間が二次局）。
【００３１】
＜第１実施例の変形例＞
第１実施例では身元照会の要求機能を一次局（飼い主宅）のみに持たせ、二次局（猫Ｃ）には持たせていなかった。
【００３２】
しかし、例えば現金自動支払預入機（一次局側）の場合であれば、人間（二次局側）は口座番号，暗証番号等を現金自動支払預入機に送信する必要があるので、現金自動支払預入機が本物か否かを確認する必要がある。この現金自動支払預入機のように一次局と二次局の双方で身元確認をする必要がある場合には、身元情報の送信・確認の処理機能を双方に持たせればよい。
【００３３】
双方に身元情報の送信・確認機能を持たせる他の例としては、徘徊老人に二次局としての携帯通信機を持たせておき、住居のマンション等の出入口に一次局の固定通信機を設置しておく。この場合は、その徘徊老人が出入口のノブに手を触れた場合にはドアを開けないようにセットしておけば、その老人のマンション外への徘徊を防止できる。双方に身元情報の送信・確認機能を持たせる理由は、他人宅が本発明を適用した徘徊防止システムを設置している場合に、徘徊老人の所持している身元情報等が、他人に取得される虞があるからである。
【００３４】
［ＩＩ−２］第２実施例
図４に示す本実施例は、本発明を２人の人間Ｐ１とＰ２が握手しただけで、名刺情報（姓名，会社名，役職名等）を交換可能にした場合である。
【００３５】
図４に示すように、一次局側の携帯通信機Ｄは伝送媒体である人間Ｐ１が所持し、二次局側の携帯通信機Ｅは同じく伝送媒体である人間Ｐ２が所持している。携帯通信機Ｄと携帯通信機Ｅの構成は同一であるので、携帯通信機Ｄのみを説明し、携帯通信機Ｅの説明は省略する。なお、例えば携帯通信機Ｄの接触検出部５２であるのに対し、携帯通信機Ｅの場合は接触検出部５２Ｅの如く「Ｅ」を付して区別する。
【００３６】
一次局側の携帯通信機Ｄは、人間Ｐ１が指等を接触する接触端子５１と、接触端子５１への接触を検出する接触検出部５２と、名刺情報に対応した振動を発生する名刺情報振動発生部５３と、相手からの振動を検出する振動検出部５４と、液晶等からなる表示部５５と、携帯通信機制御部６０とを備える。
【０３７】
携帯通信機制御部６０は名刺情報記憶部６１を備え、該名刺情報記憶部６１には、一般の名刺に記載されている、携帯通信機Ｄの所持者である人間Ｐ１の姓名，会社名，所属部署名，役職，所持資格，会社住所，電話番号，Ｅ−ｍａｉｌ番号等（以下、名刺情報と記す）を記憶させている。経歴書情報記憶部６２には例えば人間Ｐ１がシステム開発エンジニアであれば、これまでに開発したシステム名・内容概略等を記憶させている。受信処理部６３は相手方（携帯通信機Ｅ）から名刺情報を受信した場合に、携帯通信機Ｄの表示部５５や出力インタフェース６５への出力処理を行う。
【００３８】
入力インタフェース６４は例えばパソコンを接続する場合のインタフェースであり、前記記憶部６２の内容書替え，追記などの場合に使用する。出力インタフェース６５は例えば自分や相手の名刺情報を、プリントアウトする場合に使用する。
【００３９】
次に本実施例の動作を説明する。名刺交換機能を有する携帯通信機Ｄを所持した人間Ｐ１と、同じく名刺交換機能を有する携帯通信機Ｅを所持した人間Ｐ２の２人は初対面であり、予め時間を打ち合せて或る喫茶店で会ったとする。２人は相手の会社名，姓名等を確認後、名刺交換をする。
【００４０】
この名刺交換の際、２人は握手をする。すると、例えば人間Ｐ１は端子５１に予め指等により接触しているので、接触検出部５２が接触を検出し、名刺情報記憶部６１に記憶した人間Ｐ１の前記名刺情報を読み出し、名刺情報振動発生部５３に送る。すると、名刺情報振動が端子５１→人間Ｐ１→人間Ｐ２→端子５１Ｅ→接触検出部５２Ｅの経路で携帯通信機制御部６０Ｅに送られる。名刺情報振動を受けた受信処理部６３Ｅは受信処理を行い、表示部５５Ｅに表示する。人間Ｐ２は表示された名刺情報を読み取る。
【００４１】
逆に、人間Ｐ２からも同様にして名刺情報が携帯通信機Ｄに送られ、人間Ｐ２の名刺情報が携帯通信機Ｄの表示部５５に表示される。
このようにして人間Ｐ１と人間Ｐ２との間における名刺交換を行う。
【００４２】
【発明の効果】
以上説明したように本発明によれば、有線方式・無線方式のように大規模な設備投資を必要とせずに、小容量のデータ伝送が可能であり、また人間等の知能活動を必要とせずに本人・本物等を認証可能なデータ伝送方式を提供することができる。
【図面の簡単な説明】
【図１】本発明の原理説明図である。
【図２】本発明の第１実施例のシステム構成図である。
【図３】同第１実施例の動作フローチャートである。
【図４】本発明の第２実施例のブロック図である。
【符号の説明】
Ａ  固定通信機
Ｂ，Ｄ，Ｅ  携帯通信機
Ｃ  伝送媒体としての猫
Ｐ  伝送媒体としての人間
１１  猫専用出入口
１１ａ  接触用の端子
１２  接触検出部
１３  照会振動発生部
１４  暗証振動検出部
１５  出入口開閉機構
１６  外出時接触端子
２０  固定通信機制御部
２１  照会振動発生制御部
２２  暗証振動受信処理部
２３  身元情報登録部
２４  身元情報認証部
２５  出入口開閉信号発生部
３１  首輪
３２  振動検出部
３３  暗証振動発生部
４０  携帯通信機制御部
４１  暗証振動発生制御部
４２  身元情報記憶部
【図１】
0003626651.tif 000002
【図２】
0003626651.tif 000003
【図３】
0003626651.tif 000004
【図４】
0003626651.tif 000005